(57)【要約】【課題】光学機器における接眼部に取り付けられるアイカップの縁カバーであって、長時間撮影者の眼の周縁部に接しても撮影者が不快感を感じないアイカップの縁カバーを得る。【解決手段】柔軟部２１０は、周方向に直交する断面において外周方向に膨出して円弧状を呈する。この断面において柔軟部２１０の両端のうち固定部２２０に近い方（図５の左側）の端部が固定部２２０に連設される。柔軟部２１０における内面において、最も外周側の位置の近傍に柔軟部２１０の全周にわたって延びる第１の薄肉部２１１が形成される。撮影者が撮影する際、撮影者の眼の周縁部Ｆが柔軟部２１０に押しつけられる。柔軟部２１０は押圧力を受け、矢印Ｃ−１の向きに圧縮される。このとき第１の薄肉部２１１を折り目として柔軟部２１０は矢印Ｃ−２の向きに屈曲させられる。【選択図】図５
2015075529.tif 000002
【特許請求の範囲】
【請求項１】
光学機器の接眼部に取り付けられるアイカップの縁部に設けられるアイカップの縁カバーであって、
前記接眼部の周縁を囲むように形成された柔軟部と、
前記接眼部に固定される固定部とを備え、
周方向に直交する断面における前記柔軟部の両端のうち前記固定部に近い方の端部が前記固定部に連設され、
前記柔軟部が、前記断面において外周方向に膨出して円弧状を呈するとともに、前記柔軟部における内面において、最も外周側の位置の近傍に前記柔軟部の全周にわたって延びる第１の薄肉部が形成されることを特徴とするアイカップの縁カバー。
【請求項２】
前記柔軟部における内面において、前記柔軟部の全周にわたって延びる第２の薄肉部がさらに形成され、
前記第２の薄肉部が、前記断面において前記柔軟部の両端のうち前記固定部に近い方の端部の近傍の位置にあることを特徴とする請求項１に記載のアイカップの縁カバー。
【請求項３】
前記柔軟部における内面において、前記柔軟部の全周にわたって延びる第３の薄肉部がさらに形成され、
前記断面において、前記第３の薄肉部が前記第１の薄肉部より前記固定部から遠い位置にあり、前記第１の薄肉部から前記第２の薄肉部までの距離と、前記第１の薄肉部から前記第３の薄肉部までの距離とが略同等であることを特徴とする請求項２に記載のアイカップの縁カバー。
【請求項４】
前記断面における前記柔軟部の両端のうち前記固定部から遠い方の端部が自由端であることを特徴とする請求項１に記載のアイカップの縁カバー。
【請求項５】
単一の材料から成形され、前記材料がエラストマであることを特徴とする請求項１に記載のアイカップの縁カバー。
【請求項６】
光学機器の接眼部に取り付けられるアイカップであって、
前記アイカップの縁部に設けられ、前記接眼部の周縁を囲むように形成された柔軟部と、前記接眼部に固定される固定部とを有するアイカップの縁カバーを備え、
周方向に直交する断面における前記柔軟部の両端のうち前記固定部に近い方の端部が前記固定部に連設され、
前記柔軟部が、前記断面において外周方向に膨出して円弧状を呈するとともに、前記柔軟部における内面において、最も外周側の位置の近傍に前記柔軟部の全周にわたって延びる第１の薄肉部が形成されることを特徴とするアイカップ。
【請求項７】
接眼部にアイカップが取り付けられる光学機器であって、
前記アイカップが、前記アイカップの縁部に設けられ、前記接眼部の周縁を囲むように形成された柔軟部と、前記接眼部に固定される固定部とを有するアイカップの縁カバーを有し、
周方向に直交する断面における前記柔軟部の両端のうち前記固定部に近い方の端部が前記固定部に連設され、
前記柔軟部が、前記断面において外周方向に膨出して円弧状を呈するとともに、前記柔軟部における内面において、最も外周側の位置の近傍に前記柔軟部の周方向に延びる第１の薄肉部が形成されることを特徴とする光学機器。
【発明の詳細な説明】
【技術分野】
【０００１】
本発明は、光学機器における接眼部に取り付けられるアイカップの縁部に設けられるアイカップの縁カバー、アイカップおよび光学機器に関する。
【背景技術】
【０００２】
一眼レフカメラのレフレックスファインダに付属品として取り付けられるアイカップは、撮影者がレフレックスファインダを覗く時に撮影者の眼の周縁部に当接する。長時間に及ぶ撮影等において撮影者の眼の周縁部をアイカップに長時間押しつけるときの不快感をなくすための技術が検討されている。
【０００３】
例えば特許文献１に記載された技術では、比較的柔らかいエラストマと比較的硬いエラストマの２種類の材料を用いてアイカップが形成される。接触部分が眼より内側である内側部分には柔らかいエラストマが用いられ、接触部分が眼より外側である外側部分には硬いエラストマが用いられる。これは、顔の中で不快感を感じやすいのが眼より内側の部分であるためで、このようにアイカップが形成されることにより撮影者は眼の周縁部の不快感が軽減される。
【先行技術文献】
【特許文献】
【０００４】
【特許文献１】特開２００５−１８１８６１号公報
【発明の概要】
【発明が解決しようとする課題】
【０００５】
しかしながら、上述した特許文献１のアイカップは二色成形により形成されるため、製造コストが高いという問題があった。またこのアイカップは撮影者の眼の周縁部に当接する側の端部が拡径した筒状に形成され、撮影者の眼の周縁部に当接する端面の幅が狭いため、撮影者はアイカップに撮影者の眼の周縁部を当接させるとき、撮影者の眼の周縁部における眼より外側の部分に大きな圧力を受けることとなる。したがって長時間アイカップが撮影者の眼の周縁部に当接する場合や、アイカップに撮影者の眼の周縁部を強く密着させる場合には、特に撮影者の眼の周縁部における眼より外側の部分に撮影者が不快感を感じるため好ましくない。
【０００６】
本発明は、光学機器における接眼部に取り付けられるアイカップの縁部に設けられるアイカップの縁カバーであって、単一の材料から成形されるとともに、長時間撮影者の眼の周縁部に当接しても撮影者が不快感を感じないアイカップの縁カバー、アイカップおよび光学機器を提供することを目的としている。
【課題を解決するための手段】
【０００７】
本発明に係るアイカップの縁カバーは、光学機器の接眼部に取り付けられるアイカップの縁部に設けられるアイカップの縁カバーであって、接眼部の周縁を囲むように形成された柔軟部と、接眼部に固定される固定部とを備え、周方向に直交する断面における柔軟部の両端のうち固定部に近い方の端部が固定部に連設され、柔軟部が、断面において外周方向に膨出して円弧状を呈するとともに、柔軟部における内面において、最も外周側の位置の近傍に柔軟部の全周にわたって延びる第１の薄肉部が形成されることを特徴としている。
【０００８】
好ましくは、柔軟部における内面において、前記柔軟部の全周にわたって延びる第２の薄肉部がさらに形成され、第２の薄肉部が、断面において柔軟部の両端のうち固定部に近い方の端部の近傍の位置にある。また、好ましくは、柔軟部における内面において、柔軟部の全周にわたって延びる第３の薄肉部がさらに形成され、断面において、第３の薄肉部が第１の薄肉部より固定部から遠い位置にあり、第１の薄肉部から第２の薄肉部までの距離と、第１の薄肉部から第３の薄肉部までの距離とが略同等である。また、好ましくは、断面における柔軟部の両端のうち固定部から遠い方の端部が自由端である。また、好ましくは、単一の材料から成形され、材料がエラストマである。
【０００９】
本発明に係るアイカップは、光学機器の接眼部に取り付けられるアイカップであって、アイカップの縁部に設けられ、接眼部の周縁を囲むように形成された柔軟部と、接眼部に固定される固定部とを有するアイカップの縁カバーを備え、周方向に直交する断面における柔軟部の両端のうち固定部に近い方の端部が固定部に連設され、柔軟部が、断面において外周方向に膨出して円弧状を呈するとともに、柔軟部における内面において、最も外周側の位置の近傍に柔軟部の全周にわたって延びる第１の薄肉部が形成されることを特徴としている。
【００１０】
本発明に係る光学機器は、接眼部にアイカップが取り付けられる光学機器であって、アイカップが、アイカップの縁部に設けられ、接眼部の周縁を囲むように形成された柔軟部と、接眼部に固定される固定部とを有するアイカップの縁カバーを有し、周方向に直交する断面における柔軟部の両端のうち固定部に近い方の端部が固定部に連設され、柔軟部が、断面において外周方向に膨出して円弧状を呈するとともに、柔軟部における内面において、最も外周側の位置の近傍に柔軟部の周方向に延びる第１の薄肉部が形成されることを特徴としている。
【発明の効果】
【００１１】
本発明によれば、光学機器における接眼部に取り付けられるアイカップの縁部に設けられるアイカップの縁カバーであって、単一の材料から成形されるとともに、長時間撮影者の眼の周縁部に当接しても撮影者が不快感を感じないアイカップの縁カバー、アイカップおよび光学機器を得る。
【図面の簡単な説明】
【００１２】
【図１】本発明の第１乃至第３の実施形態であるアイカップの縁カバーを備えたカメラの背面における概略図である。
【図２】アイカップの分解図である。
【図３】図１におけるＡ−Ａ線に沿う断面図である。
【図４】図１におけるＢ−Ｂ線に沿う断面図である。
【図５】柔軟部が変形させられる様子を説明するための図である。
【図６】第２の実施形態であるアイカップの縁カバーの部分断面図である。
【図７】柔軟部が変形させられる様子を説明するための図である。
【図８】第３の実施形態であるアイカップの縁カバーの部分断面図である。
【図９】柔軟部が変形させられる様子を説明するための図である。
【発明を実施するための形態】
【００１３】
以下、本発明の実施の形態を図面を参照して説明する。図１はアイカップが取り付けられた状態のカメラの背面図である。この図に示されるように、カメラ本体１０の背面において、右部には撮影者がカメラの設定等を行うための操作ボタン１１が設けられる。中央部から左部にかけて、撮影者が撮影する被写体の画像をライブビュー機能で確認するため等に用いられる画像モニタ１３が設けられる。上部には、ライブビュー機能を使用しないで、カメラに内蔵されたレフレックスミラーとペンタプリズムにより導かれた光により撮影者が被写体を視認するためのファインダ（接眼部）１５が設けられる。ファインダ１５にはアイカップ２０が取り付けられる。カメラ本体１０の上面にはモードダイヤル１７が設けられる。
【００１４】
図２に示されるように、アイカップ２０は、単一の種類のエラストマ、例えばシリコンゴム等のゴムにより成形された縁カバー２１と、縁カバー２１における内側部分を挟むようにして設けられ、熱可塑性樹脂により成形されたカメラ取付部材２３と縁カバー固定枠２５とを備える。
【００１５】
縁カバー２１は、図１におけるファインダ１５の上部と側部の周縁を囲むように形成された柔軟部２１０と、柔軟部２１０と一体成形された固定部２２０とから構成される。柔軟部２１０は外周方向に膨出し、固定部２２０よりも柔軟である。固定部２２０は、内側に形成される平面部２２１と、平面部２２１の外周縁部に連設される補強部２２５とを有する。平面部２２１は下向きに開口したコの字状の板形状を呈する。平面部２２１の一対の側部においてそれぞれ、切欠き２２３、２２３が形成される。
【００１６】
カメラ取付部材２３は下向きに開口したコの字状の板形状を呈する。カメラ取付部材２３をファインダ１５（図１）に係合させるために、カメラ取付部材２３の一対の側部の内側に凸部２３１、２３１が形成される。凸部２３１、２３１は周辺部分より薄肉である。なお、凸部２３１、２３１の形状はファインダ１５に嵌合できれば薄肉でなくてもよい。凸部２３１、２３１の外側近傍にはそれぞれ、丸穴２３３、２３３が形成される。縁カバー固定枠２５はファインダ１５の周縁の全周を囲む枠形状を呈する。縁カバー固定枠２５における内面の両側部には、円筒状のボス２５１、２５１が形成される。
【００１７】
縁カバー２１、カメラ取付部材２３、縁カバー固定枠２５は、切欠き２２３、丸穴２３３、ボス２５１が同一線上に並ぶように配列される。ねじ２７が丸穴２３３とボス２５１の孔に螺着される。
【００１８】
図３に示されるように、柔軟部２１０は、周方向に直交する断面において外周方向に膨出して円弧状を呈する。この断面において柔軟部２１０の両端のうち固定部２２０に近い方（図３の左側）の端部が固定部２２０に連設される。また柔軟部２１０の両端のうち固定部２２０から遠い方の端部が縁カバー固定枠２５の外側面に近接して対向する。すなわちこの端部は自由端である。柔軟部２１０における内面において、最も外周側の位置の近傍に柔軟部２１０の全周にわたって延びる第１の薄肉部２１１が形成される。第１の薄肉部２１１は柔軟部２１０の内壁面に形成された、断面が円弧状の溝である。肉厚は例えば第１の薄肉部２１１において０．７ｍｍで、周辺部分において０．８ｍｍである。
【００１９】
図４に示されるように、ファインダ１５の外枠１５１の両側面には上下方向（紙面に直交する方向）の略全体にわたって凹部１５３、１５３が形成される。カメラ取付部材２３における凸部２３１、２３１は、上方から（紙面の手前側から）凹部１５３、１５３にスライドして挿入され、凹部１５３、１５３に係合する。
【００２０】
撮影時、図５に示されるように、撮影者の眼の周縁部Ｆが柔軟部２１０に当てつけられる。柔軟部２１０は押圧力を受け、矢印Ｃ−１の向きに圧縮される。このとき第１の薄肉部２１１を折り目として柔軟部２１０は矢印Ｃ−２の向きに屈曲させられる。柔軟部２１０の端部２１３は縁カバー固定枠２５の表面に沿って矢印Ｃ−３の向きに摺動変位させられる。
【００２１】
以上のように本実施形態では、第１の薄肉部２１１が形成されるため、柔軟部２１０が受ける押圧力が比較的低くても変形が生じ得る。したがって柔軟部２１０が長時間撮影者の眼の周縁部に当接しても撮影者は不快感を感じない。また柔軟部２１０の肉厚差を利用するため、単一の材料による成形が可能である。また成形時に肉厚がばらつく場合であっても、柔軟性を安定化させることができる。
【００２２】
また本実施形態では、柔軟部２１０はゴムチューブのような構成のため、従来技術のように撮影者の眼の周縁部に局所的に大きな圧力を与えることがない。このような柔軟部２１０が撮影者の眼の周縁部に当接するため、柔軟部２１０は変形し易く、変形量は安定している。また変形量が比較的大きいため、撮影者の眼の周縁部と縁カバー２１との隙間から光が入ることを防止する効果、すなわち遮光効果が高くなる。なお従来の縁カバーには、本実施形態と同様柔軟部の内側に空間が設けられるとともに、撮影者の眼の周縁部に当接する部分が平面状に形成されるものがある。この場合、変形に必要な押圧力が高い。また柔軟部の変形量が限られるため、遮光効果が低い。
【００２３】
また本実施形態では、柔軟部２１０の断面において一端のみ固定端で他端が自由端なので、組立や分解が容易である。なお従来の縁カバーには、本実施形態と同様柔軟部の内側に空間が設けられるとともに、断面における柔軟部の両端が固定されるものがある。この場合、組立や分解が困難である。
【００２４】
図６は第２の実施形態を示す。この実施形態では、柔軟部２１０における内面において、柔軟部２１０の全周にわたって延びる第２の薄肉部２１５がさらに形成される。第２の薄肉部２１５は、断面において柔軟部２１０の両端のうち固定部２２０に近い方の端部２１７の近傍の位置にある。第２の薄肉部２１５の肉厚は第１の薄肉部と同等である。第２の薄肉部２１５を除き、図６の縁カバー２１の構成は第１の実施形態と共通である。
【００２５】
撮影者が撮影する際における第１の実施形態と異なる点は、図７に示されるように、第２の薄肉部２１５を折り目として柔軟部２１０が矢印Ｃ−４の向きに回動しながら撓むことである。すなわち第１の薄肉部２１１は第２の薄肉部２１５を中心軸としてカメラの前方の向きに回動する。また柔軟部２１０の端部２１３は第１の実施形態と同様に下方に変位しようとするが、この下方への変位が回動に伴う上方への変位により相殺される。したがって柔軟部２１０の端部２１３はほとんど変位しない。
【００２６】
本実施形態では、第２の薄肉部２１５が形成されるため、第１の実施形態よりもさらに低い押圧力で変形が生じ得る。また柔軟部の端部２１３が上下方向にほとんど変位しないため、端部２１３において柔軟部２１０が裏返しになりにくく、縁カバー固定枠２５に引っかかりにくい。
【００２７】
図８は第３の実施形態を示す。この実施形態では、柔軟部２１０における内面において、柔軟部２１０の全周にわたって延びる第３の薄肉部２１９がさらに形成される。断面において、第３の薄肉部２１９は第１の薄肉部２１１より固定部２２０から遠い位置にあり、第１の薄肉部２１１から第２の薄肉部２１５までの距離と、第１の薄肉部２１１から第３の薄肉部２１９までの距離とが略同等である。第３の薄肉部２１９の肉厚は第１および第２の薄肉部と同等である。第３の薄肉部２１９を除き、図８の縁カバー２１の構成は第２の実施形態と共通である。
【００２８】
撮影者が撮影する際における第２の実施形態と異なる点は、図９に示されるように、第３の薄肉部２１９を折り目として柔軟部２１０が矢印Ｃ−５の向きに伸展させられることである。
【００２９】
本実施形態では、第３の薄肉部２１９が形成されるため、第２の実施形態よりもさらに低い押圧力で変形が生じ得る。
【００３０】
なお、本明細書ではカメラに取り付けられるアイカップの縁カバーについて説明したが、本発明は顕微鏡、双眼鏡等の接眼部を備える他の光学機器の目当て用の付属品にも適用できる。また、主に柔軟部の上側部について説明したが、両側部も同様に構成され、同様の効果を奏する。また、図面では薄肉部の形状がＵ字溝であるが、本発明はこれに限定されない。例えば、肉厚の変化が緩やかな形状や、切れ目も含まれる。また、本明細書では柔軟部の全周にわたって薄肉部が形成されるが、全周にわたって形成されなくても一部のみ薄肉部が周方向に延びていればよい。この場合薄肉部が形成された部分だけ変形し易くなる。
【符号の説明】
【００３１】
１５  ファインダ（接眼部）
２１  縁カバー
２３  カメラ取付部材
２５  縁カバー固定枠
２１０  柔軟部
２１１  第１の薄肉部
２１３、２１７  端部
２１５  第２の薄肉部
２１９  第３の薄肉部
２２０  固定部
Ｆ  撮影者の眼の周縁部
【図１】
2015075529.tif 000003
【図２】
2015075529.tif 000004
【図３】
2015075529.tif 000005
【図４】
2015075529.tif 000006
【図５】
2015075529.tif 000007
【図６】
2015075529.tif 000008
【図７】
2015075529.tif 000009
【図８】
2015075529.tif 000010
【図９】
2015075529.tif 000011